(57)【要約】【課題】　ＩＳＤＮ、及びインターネット網を同時に連結可能であると共に、外部のＩＳＤＮフォンユーザーと、ＩＰフォンユーザーとの間の通話を可能にするデュアルＩＰフォン、及びこれを用いた通話方法を提供する。【解決手段】　ＩＳＤＮとの通信を行うＩＳＤＮフォン回路手段；インターネット網との通信を行なうＩＰフォン回路手段；入力されたデータを分析して、ＩＳＤＮモード、ＩＰモード、又は外部連結モードを設定するか認知し、その設定又は認知されたモードにしたがって前記ＩＳＤＮフォン回路手段と、前記ＩＰフォン回路手段との間の音声信号経路を制御する制御手段及び；前記制御手段の制御にしたがって前記ＩＳＤＮフォン回路手段と、前記ＩＰフォン回路手段との間の音声信号経路をスイッチングし、これらの間のデータ交換のための連結手段を含めて構成されることを特徴とする。【選択図】　図１
2004064782.tif 000002
【特許請求の範囲】
【請求項１】
ＩＳＤＮとの通信を行うＩＳＤＮ（Ｉｎｔｅｇｒａｔｅｄ　Ｓｅｒｖｉｃｅ　Ｄｉｇｉｔａｌ　Ｎｅｔｗｏｒｋ）フォン回路手段；
　インターネット網との通信を行なうＩＰフォン回路手段；
　入力されたデータを分析して、ＩＳＤＮモード、ＩＰモード又は、外部連結モードを設定するか認知し、その設定又は、認知されたモードにしたがって前記ＩＳＤＮフォン回路手段と、前記ＩＰフォン回路手段との間の音声信号経路を制御する制御手段及び；
　前記制御手段の制御にしたがって前記ＩＳＤＮフォン回路手段と、前記ＩＰフォン回路手段との間の音声信号経路をスイッチングし、これらの間のデータ交換のための連結手段を含めて構成されることを特徴とするデュアルＩＰフォン。
【請求項２】
前記ＩＳＤＮフォン回路手段は、
　前記ＩＳＤＮへの接続のためのインターフェース；
　前記インターフェースからのデータをフレーム化／逆フレーム化するＨＤＬＣ（Ｈｉｇｈ　ｌｅｖｅｌ　Ｄａｔａ　Ｌｉｎｋ　Ｃｏｎｔｒｏｌｌｅｒ）；
　前記ＩＳＤＮフォン回路手段を総括して制御し、前記逆フレームしたデータを前記ＩＰフォン回路手段に伝達する第１マイクロプロセッサーを含めて構成されることを特徴とする請求項１記載のデュアルＩＰフォン。
【請求項３】
前記ＩＳＤＮフォン回路手段は、
　前記インターフェースからのフレームデータを音声信号に変換し、外部から入力される音声信号をＰＣＭデータに変換する第１コデック；
　前記第１マイクロプロセッサーの制御にしたがって前記第１コデックからの音声信号を入出力するハンドセット／スピーカーフォン回路部をさらに含めて構成されることを特徴とする請求項２記載のデュアルＩＰフォン。
【請求項４】
前記連結手段は、
　前記ＩＰフォン回路手段と、前記ＩＳＤＮフォン回路手段との間のデータを交換するデータ通信回路部；
　前記制御手段からの制御信号にしたがって前記ＩＳＤＮフォン回路手段と、前記ＩＰフォン回路手段との間の音声信号の経路をスイッチングする音声信号連結部；
　ユーザーから入力されたキー入力データを前記制御手段に伝達するキー入力部を含めて構成されることを特徴とする請求項１記載のデュアルＩＰフォン。
【請求項５】
前記データ通信回路部はシリアルポートで構成されることを特徴とする請求項４記載のデュアルＩＰフォン。
【請求項６】
前記データ通信回路部は両方向のメモリで構成されることを特徴とする請求項４記載のデュアルＩＰフォン。
【請求項７】
前記連結手段は、
　フックオン／オフのスイッチ回路部；
　前記制御手段の制御にしたがって視覚的な表示のための表示部をさらに含めて構成されることを特徴とする請求項４記載のデュアルＩＰフォン。
【請求項８】
前記ＩＰフォン回路手段は、
　前記認知された外部連結モードの発信者がダイアルトーンを発生するように制御する第２マイクロプロセッサー；
　ＩＰモード及び／又は外部連結モードで前記ＩＳＤＮフォン及び、外部装置から入力された音声信号を同時に／単独でＰＣＭデータに変換する第２コデック；
　前記第２マイクロプロセッサーの制御にしたがってダイアルトーンを発生して前記発信者に提供し、前記第２コデックからのデータを受信してフォーマット変換し、その変換した信号を前記第２マイクロプロセッサーに提供するＤＳＰ（Ｄｉｇｉｔａｌ　Ｓｉｇｎａｌ　Ｐｒｏｃｅｓｓｏｒ）を含めて構成されることを特徴とする請求項１記載のデュアルＩＰフォン。
【請求項９】
前記第２コデックは二つの音声信号経路を有することを特徴とする請求項８記載のデュアルＩＰフォン。
【請求項１０】
前記ＩＰモード及び、前記外部連結モード時の音声信号はそれぞれ異なる音声信号経路で入力されることを特徴とする請求項９記載のデュアルＩＰフォン。
【請求項１１】
前記ＩＰフォン回路手段は、インターネット網との連結のためのコネクターを含むことを特徴とする請求項１記載のデュアルＩＰフォン。
【請求項１２】
前記ＩＰフォン回路手段は、コンピューターとの連結のためのコネクターを含むことを特徴とする請求項１１記載のデュアルＩＰフォン。
【請求項１３】
ＩＳＤＮフォンと、ＩＰフォンとが単一装置で構成されたデュアルＩＰフォンにおいて、
　ＩＳＤＮモード、ＩＰモード、外部連結モードのうち少なくとも一つのモードに設定する段階；
　前記外部連結モードで、外部のＩＳＤＮフォンユーザーから発信要請のある場合、前記ＩＳＤＮフォン及び前記ＩＰフォンの間のデータ及び、音声信号経路を連結する段階；
　前記ユーザーから入力された該当受信者に対する情報及びパスワードに基づいて、前記ユーザーが認証された加入者であるかを判断する段階；
　認証された加入者である場合、前記受信者情報に基づいてその受信者のＩＰアドレスを確認し、その確認されたＩＰアドレスの端末機に発信号を伝送して、前記ユーザーと、前記ＩＰアドレスの端末機とを互いに連結する段階を備えることを特徴とするデュアルＩＰフォンを用いた通話方法。
【請求項１４】
前記ＩＳＤＮフォン、及び前記ＩＰフォンを自動的に連結した後、ダイアルトーンを発生して前記外部連結要請者に提供する段階；
　前記ダイアルトーンの後、パスワードと、連結するユーザーに対する着信番号とを入力する段階をさらに備えてなることを特徴とする請求項１３記載のデュアルＩＰフォンを用いた通話方法。
【請求項１５】
前記ＩＰモードと、外部連結モードとが同時に設定された場合、前記外部連結要請者からの音声信号及び、前記デュアルＩＰフォンの外部装置から入力される音声信号を同時にコーディングする段階；
　前記コーディングされたデータをそれぞれの受信者のための標準データフォーマットに変換する段階；
　前記外部連結要請者と前記ＩＰアドレスの受信者との間のデータ伝送速度を整合するために、前記標準データフォーマットのデータを選択的に格納する段階をさらに備えてなることを特徴とする請求項１３記載のデュアルＩＰフォンを用いた通話方法。
【発明の詳細な説明】
【技術分野】
【０００１】
　本発明はＩＰフォンに関し、特にＩＳＤＮ電話機の機能及び、ＩＰ電話機の機能を共に有するデュアルＩＰフォン及び、デュアルＩＰフォンを用いた通話方法に関する。
【背景技術】
【０００２】
　　一般に、遠隔地の相手と通話するためには、公衆電話交換網（ＰＳＴＮ：Ｐｕｂｌｉｃ　Ｓｗｉｔｃｈｅｄ　Ｔｅｌｅｐｈｏｎｅ　Ｎｅｔｗｏｒｋ）に連結された一般の電話を使用するか、インターネット網に連結されたインターネットフォン（ＶｏＩＰ：Ｖｏｉｃｅ　Ｏｖｅｒ　ＩＰ）を使用する。
【０００３】
　最近、インターネットユーザーの数が急増し、インターネットにおけるデータ伝送速度が速くなるに伴い、インターネットフォン、インターネットファックス、インターネット放送についての関心が高まっている。
【０００４】
　特に、前記インターネットフォンは、市外電話や国際電話をかける場合、既存のＰＳＴＮ網を通じた電話使用料に比べて非常に安価の費用で利用が可能であるという長所を有する。
【発明の開示】
【発明が解決しようとする課題】
【０００５】
　しかしながら、従来のインターネットフォンサービスは、必ずモデム付きのコンピューターを通じてのみインターネット網を用いた電話通話が可能である。
【０００６】
　即ち、モデム付きのコンピューター対コンピューター、コンピューターと連結された電話機対コンピューター、コンピューターと連結された電話機対コンピューターと連結された電話機の間の通信のみが可能である。
【０００７】
　したがって、必ずコンピューターが設けられている場所に移動してインターネットフォンを用いなければならないので、場所の制約が多い。
【０００８】
　このような場所の制約を克服し、何時何処でも認証された加入者が自由に接続して、安価の通話料で用いられるようなインターネットフォンが要求されている。
【０００９】
　一方、ＩＳＤＮは、一つの加入者の回線に多様な端末装置と設備を接続して、音声、非音声及び／又は、映像などのサービスを提供する。
【００１０】
　したがって、ＩＳＤＮフォンと、インターネットフォンとが一つの端末機で実現される場合、ユーザーは多様なサービスを低費用で用いることができるので、利用効率が極大化されえる。
【００１１】
　そこで、本発明は上記のような問題点を解決するためになされたもので、その目的は、ＩＳＤＮ及び、インターネット網を同時に連結可能な一つのデュアルＩＰフォン、及びこれを用いた通話方法を提供することにある。
【００１２】
　また、他の目的として、外部のＩＳＤＮフォンユーザーと、ＩＰフォンユーザーとの間の通話を可能にするデュアルＩＰフォン、及びこれを用いた通話方法を提供することにある。
【課題を解決するための手段】
【００１３】
　上記目的を達成するために本発明によるデュアルＩＰフォンは、ＩＳＤＮとの通信を行うＩＳＤＮ（Ｉｎｔｅｇｒａｔｅｄ　Ｓｅｒｖｉｃｅ　Ｄｉｇｉｔａｌ　Ｎｅｔｗｏｒｋ）フォン回路手段；インターネット網との通信を行なうＩＰフォン回路手段；入力されたデータを分析して、ＩＳＤＮモード、ＩＰモード、又は外部連結モードを設定するか認知し、その設定又は認知されたモードにしたがって前記ＩＳＤＮフォン回路手段と、前記ＩＰフォン回路手段との間の音声信号経路を制御する制御手段及び；前記制御手段の制御にしたがって前記ＩＳＤＮフォン回路手段と、前記ＩＰフォン回路手段との間の音声信号経路をスイッチングし、これらの間のデータ交換のための連結手段を含めて構成されることを特徴とする。
【００１４】
　前記ＩＳＤＮフォン回路手段は、前記ＩＳＤＮへの接続のためのインターフェース；前記インターフェースからのデータをフレーム化／逆フレーム化するＨＤＬＣ（Ｈｉｇｈ　ｌｅｖｅｌ　Ｄａｔａ　Ｌｉｎｋ　Ｃｏｎｔｒｏｌｌｅｒ）；前記ＩＳＤＮフォン回路手段を総括して制御し、前記逆フレームしたデータを前記ＩＰフォン回路手段に伝達する第１マイクロプロセッサーを含めて構成され、前記インターフェースからのフレームデータを音声信号に変換し、外部から入力される音声信号をＰＣＭデータに変換する第１コデック；前記第１マイクロプロセッサーの制御にしたがって前記第１コデックからの音声信号を入出力するハンドセット／スピーカーフォン回路部をさらに含めて構成される。
【００１５】
　前記連結手段は、前記ＩＰフォン回路手段と、前記ＩＳＤＮフォン回路手段との間のデータを交換するデータ通信回路部；前記制御手段からの制御信号にしたがって前記ＩＳＤＮフォン回路手段と、前記ＩＰフォン回路手段との間の音声信号の経路をスイッチングする音声信号連結部；ユーザーから入力されたキー入力データを前記制御手段に伝達するキー入力部を含めて構成され、フックオン／オフのスイッチ回路部；前記制御手段の制御にしたがって視覚的な表示のための表示部をさらに含めて構成される。
【００１６】
　前記ＩＰフォン回路手段は、前記認知された外部連結モードの発信者がダイアルトーンを発生するように制御する第２マイクロプロセッサー；ＩＰモード及び／又は外部連結モードで前記ＩＳＤＮフォン及び、外部装置から入力された音声信号を同時に／単独でＰＣＭデータに変換する第２コデック；前記第２マイクロプロセッサーの制御にしたがってダイアルトーンを発生して前記発信者に提供し、前記第２コデックからのデータを受信してフォーマット変換し、その変換した信号を前記第２マイクロプロセッサーに提供するＤＳＰ（Ｄｉｇｉｔａｌ　Ｓｉｇｎａｌ　Ｐｒｏｃｅｓｓｏｒ）を含めて構成される。
【００１７】
　上記目的を達成するために本発明によるデュアルＩＰフォンを用いた通話方法は、ＩＳＤＮフォンと、ＩＰフォンとが単一装置で構成されたデュアルＩＰフォンにおいて、ＩＳＤＮモード、ＩＰモード、外部連結モードのうち少なくとも一つのモードに設定する段階；前記外部連結モードで、外部のＩＳＤＮフォンユーザーから発信要請のある場合、前記ＩＳＤＮフォン及び前記ＩＰフォンの間のデータ及び、音声信号経路を連結する段階；前記ユーザーから入力された該当受信者に対する情報及びパスワードに基づいて、前記ユーザーが認証された加入者であるかを判断する段階；認証された加入者である場合、前記受信者情報に基づいてその受信者のＩＰアドレスを確認し、その確認されたＩＰアドレスの端末機に発信号を伝送して、前記ユーザーと、前記ＩＰアドレスの端末機とを互いに連結する段階を備えることを特徴とする　。
【００１８】
　前記ＩＳＤＮフォン、及び前記ＩＰフォンを自動に連結した後、ダイアルトーンを発生して前記外部連結要請者に提供する段階；前記ダイアルトーンの後、パスワードと、連結するユーザーに対する着信番号とを入力する段階をさらに備えてなることを特徴とする。
【００１９】
　前記ＩＰモードと、外部連結モードとが同時に設定された場合、前記外部連結要請者からの音声信号及び、前記デュアルＩＰフォンの外部装置から入力される音声信号を同時にコーディングする段階；前記コーディングされたデータをそれぞれの受信者のための標準データフォーマットに変換する段階；前記外部連結要請者と前記ＩＰアドレスの受信者との間のデータ伝送速度を整合するために、前記標準データフォーマットのデータを選択的に格納する段階をさらに備えてなることを特徴とする。
【発明の効果】
【００２０】
　本発明によれば、ＩＳＤＮ、及びインターネット網を同時に連結し、外部連結モードで作動して、外部ＩＳＤＮから要請される他のＩＰフォンユーザーとの通話を提供することで、多様なサービスを安価の通話料で提供できるという効果がある。
【発明を実施するための最良の形態】
【００２１】
　以下、本発明の実施形態を添付の図面に基づいて詳細に説明する。
【００２２】
　図１は本発明によるデュアルＩＰフォンのブロック構成図である。
【００２３】
　図１に示すように、本発明によるデュアルＩＰフォンは、ＩＳＤＮとの通信を行うＩＳＤＮフォン回路部１０と、インターネット網との通信を行うＩＰフォン回路部３０と、前記ＩＳＤＮフォン１０と前記ＩＰフォン回路部３０との連動のための連結部２０とで構成されている。
【００２４】
　前記ＩＳＤＮフォン１０は、前記ＩＳＤＮフォンとの物理的な連結のためのコネクター１００と、ＩＳＤＮのＳ−接続点に連結するためのＳ−インターフェース回路１２０と、ＩＳＤＮに基づいた音声及びデータなどの信号を送受信するためのハイレベルデータリンク制御器（ＨＤＬＣ）１３０と、前記ＩＳＤＮフォン１０の動作を総括して制御するための第１マイクロプロセッサー１３０と、アナログ音声信号をＰＣＭ（Ｐｕｌｓｅ　Ｃｏｄｅ　Ｍｏｄｕｌａｔｉｏｎ）データーに変換し、ＰＣＭデータをアナログ音声信号に変換するための第１コデック１４０と、ユーザーがハンドセットやスピーカーフォンで通話できるようにするハンドセット／スピーカーフォン回路部１５０とで構成されている。前記第１コネクター１００はＲＪ４５を用いる。
【００２５】
　参考までに、ＩＳＤＮユーザーと網インターフェースとは、ＩＳＤＮとユーザーの構内通信設備との間のインターフェースのことを称する。この際、ＩＳＤＮの核心的な構成要素の一つは、加入者の回線に多様な端末装置や設備を接続して、音声、非音声、映像などのサービスを提供するようにする幾つかの多目的使用網インターフェースの標準である。これは、ＩＴＵ−Ｔで標準化してＩ−４００系列の広告で発表されており、略してＩインターフェースとも称する。これらの機能郡を幾つかのリファレンスポイントに区分して、各リファレンスポイントで必要な物理的なインターフェースの標準を作成している。これは、インターフェースの標準化作業を効率的に進行させ、かつ製造社がこれに基づき装備を開発できるようにするためである。前記加入者の構内設備を機能群にしたがってＴＥ１，ＴＥ２，ＴＡ，ＮＴ１，ＮＴ２などに細分し、これらをリファレンスポイントＳ，Ｔ，Ｒなどに区分して、各リファレンスポイントでのインターフェースを規定している。
【００２６】
　例えば、ＴＥ１はリファレンスポイントＳで網終端装置ＮＴに接続し、この際のインターフェースがＳインターフェースである。
【００２７】
　前記ＩＳＤＮフォン１０はＩＳＤＮでＴＥ１に該当し、前記Ｓ−インターフェース回路１１０は前記ＩＳＤＮフォン１０を網終端装置ＮＴに連結する。
【００２８】
　前記回路連結部２０は、ハンドセットの利用可否にしたがってオンオフになるフックスイッチ回路２００と、ユーザーのキー又はボタン操作により入力されるボタンを、後述する第２マイクロプロセッサー３４０が認識可能な信号に変換して、前記マイクロプロセッサー３４０に伝達するキー入力部２１０と、前記ＩＳＤＮモード、ＩＰモード又は、外部連結モードにしたがって前記ハンドセット／スピーカーフォン回路部１５０を前記送受話器２５０、又はスピーカー／マイク２６０と連結するか、前記送受話器２５０、又はスピーカー／マイク２６０を、前記ＩＰフォン３０の第２コデック３６０の第１チャンネル、又は第２チャンネルに連結する音声信号連結部２４０と、前記第１マイクロプロセッサー１３０と、前記第２マイクロプロセッサー３４０との間に必要なデータをやり取りするためのデータ通信回路２２０と、前記デュアルＩＰフォンの動作状態を表示するためのＬＣＤ回路部２３０とで構成されている。
【００２９】
　前記ＩＰフォン３０は、インターネット網、及びコンピューターと物理的にそれぞれ連結するための多数の連結ポートを有するコネクター３００と、該コネクター３００を介してインターネット網と接続するためのアップリンクＲＡＮ回路部３１０と、前記コネクター３００を介してコンピューターと接続するためのダウンリンクＲＡＮ回路３２０と、該ＲＡＮ回路部３１０，３２０間の信号交換機能、及び多重接続機能を行うためのＲＡＮ回路連結部３３０と、前記キー入力部２２０から入力される信号を分析して、ＩＳＤＮモード、ＩＰモード、又は外部連結モードであるかを判断し、その判断結果にしたがって前記音声信号連結部２４０が前記第２コデック３６０の第１チャンネル、又は第２チャンネルに連結されるように制御するか、前記ハンドセット／スピーカーフォン回路部１５０が前記送受話器２５０、又は前記スピーカー／マイク２６０に連結されるように制御する第２マイクロプロセッサー３４０と、外部の連結モードで、前記第２マイクロプロセッサー３４０の制御信号にしたがってダイアル信号を生成して、前記第２コデック３６０の第２チャンネルを通じて前記外部連結モードを要求した外部の要請者、つまり、外部のＩＳＤＮフォンユーザーに提供し、前記外部要請者からのＤＴＭＦ信号を前記第２マイクロプロセッサー３４０が認識できる信号に変換して、前記第２マイクロプロセッサー３４０に提供するＤＳＰ３５０と、第１及び第２の二つのチャンネルを有し、かつＩＰモードで前記ＤＳＰ３５０から入力されるＰＣＭデータを音声データに変換するか、外部の連結モードで前記音声信号連結部２４０から第１チャンネル及び第２チャンネルを通じて入力される音声信号をＰＣＭデータに同時に変換して、前記ＤＳＰ３５０に提供する第２コデック３６０とを含めて構成されている。
【００３０】
　前記第２コデック３６０は２つのチャンネルのＰＣＭデータを音声データに同時に変換するか、２つのチャンネルの音声データをＰＣＭデータに同時に変換する。
【００３１】
　次いで、本発明の作動を説明する。
【００３２】
　前記ＩＳＤＮフォン１０は、前記Ｓ−インターフェース回路１１０を用いてＩＳＤＮに接続する。前記ＨＤＬＣ１２０は、前記Ｓ−インターフェース回路１１０からの前記データをフレーム化／逆フレーム化する。前記第１マイクロプロセッサー１３０は、前記逆フレームされたデータを前記ＩＰフォン回路部３０の第２マイクロプロセッサー３４０に提供し、前記ＩＳＤＮフォン回路部１０を制御する。前記第１コデック１４０は、前記Ｓ−インターフェース回路１１０からのフレームデータを音声信号に変換し、前記送受話器２５０、又はスピーカー／マイク２６０からの外部音声信号をＰＣＭデータに変換する。前記ハンドセット／スピーカーフォン回路部１５０は、前記第１マイクロプロセッサー１３０の制御にしたがってハンドセット、又はスピーカーフォンにスイッチングされ、前記第１コデック１４０から音声信号を入出力する
　前記データ通信回路２２０は、　前記第１マイクロプロセッサー１３０と前記第２マイクロプロセッサー３４０との間のデータを交換する。ＩＳＤＮモード又は、外部連結モードで、前記第１マイクロプロセッサー１３０は着信号が受信されたことを知らせるメッセージを前記データ通信回路２２０を介して前記第２マイクロプロセッサー３４０に提供する。また、前記第２マイクロプロセッサー３４０は、デュアルＩＰフォンの動作状態を前記データ通信回路２００を介して前記第１マイクロプロセッサー１３０に提供する。前記ＩＰフォン３０がＩＰモード、及び外部連結モードに同時に作動可能であるので、このモードでは前記第１マイクロプロセッサー１３０が前記ＩＳＤＮフォン１０の状態を任意的に変更できないようにするためである。
【００３３】
　このようなメッセージの相互交換のために、前記データ通信回路２２０はシリアルポートを用いるか、両方向のメモリを使用して実現する。
【００３４】
　前記音声信号連結部２４０は、　前記第２マイクロプロセッサー３４０からの制御信号にしたがって前記ＩＳＤＮファン回路部１０と、前記ＩＰフォン３０との間の音声信号の経路をスイッチングする。詳しくは、ＩＳＤＮモードで、前記音声信号連結部２４０は、前記ハンドセット／スピーカーフォン回路部１５０のハンドセット回路を送受話器２５０に連結し、スピーカーフォン回路をスピーカー／マイク２６０に連結する。また、ＩＰモードで、前記音声信号連結部２４０は、前記送受話器２５０、又は前記スピーカー／マイク２６０を前記第２コデック３６０の第１チャンネルを通じてその第２コデック３６０と互いに連結する。
【００３５】
　また、外部連結モードで、前記音声信号連結部２４０は、前記第２コデック３６０の第２チャンネルを通じて、前記ハンドセット／スピーカーフォン回路部１５０をその第２コデック３６０に互いに連結する。また、前記音声信号連結部２４０は、外部連結モード及びＩＰモードで、前記第２コデック２４０の第１チャンネル、及び第２チャンネルを通じて前記送受話器２５０、またはスピーカー／マイク２６０を前記ハンドセット／スピーカーフォン回路部１５０、及び前記第２コデック３６０にそれぞれ同時に連結して、外部からの音声信号、及び内部ユーザーの音声信号が同時にボコーディングされるようにする。
【００３６】
　前記キー接続回路部２１０は、前記ＩＰフォン回路部３０、及び前記ＩＳＤＮフォン回路部１０に共通に連結され、ユーザーからのキー入力を前記第２マイクロプロセッサー３４０に提供する。前記フックスイッチ回路２００は、前記ハンドセット／スピーカーフォン回路部１５０のハンドセット利用可否にしたがってオン／オフになる。前記ＬＣＤ回路部２３０は、前記第２マイクロプロセッサーの制御にしたがって本発明のデュアルＩＰフォンの動作状態を表示し、外部から着信号が受信されたことを表示してユーザーに知らせる。
【００３７】
　前記第２マイクロプロセッサー３４０は、前記ＩＰフォン３０、及び前記データ通信回路部２２０、及び前記キー接続回路部２１０を介して入力されたデータを分析して、ＩＳＤＮモード、ＩＰモード、外部連結モードのうち一つを認知して設定し、その設定モードに基づいて前記音声信号連結部２４０に制御信号を印加し、該当モード状態についてのメッセージを前記データ通信回路２２０を介して前記第１マイクロプロセッサー１３０に提供し、前記外部連結モード及び／又はＩＰモードを行うための発信号を外部に発送し、前記外部連結モード要請者にダイアルトーンを発生するように前記ＤＳＰ３５０を制御する。
【００３８】
　前記ＤＳＰ３５０は、　前記第２マイクロプロセッサー３４０の制御にしたがってダイアル信号を発生して前記要請者に提供し、該要請者から該着信者の着信番号及びパスワードを受信して、　前記第２マイクロプロセッサー３４０が認識できるデータにフォーマット変換し、この変換した信号を前記第２マイクロプロセッサー３４０に提供する。
【００３９】
　前記第２コデック３６０は、前記ＤＳＰ３５０からのＰＣＭデータを音声信号に変換し、前記音声信号連結部からの音声信号をＰＣＭデータに変換して、前記ＤＳＰ３５０に提供する。前記ＤＳＰ３５０は、前記第２コデック３６０から音声信号から変換したＰＣＭデータを外部ＩＰ加入者、又はコンピューターと交換可能な標準フォーマットに変換する。
【００４０】
　前記ＤＳＰ３５０は前記標準フォーマットに変換することと共に、データを圧縮して伝送したりする。
【００４１】
　前記第２マイクロプロセッサー３４０は、前記標準フォーマットに変換したデータをＲＡＮ回路連結部３３０と、前記アップリンクＲＡＮ回路３１０とを用いて前記外部ＩＰ加入者に伝達する。前記第２マイクロプロセッサー３４０は、前記外部連結を要請した加入者と、前記外部ＩＰ加入者とのデータ伝送速度を整合するため、必要に応じて前記標準フォーマットデータを貯蔵したりする。
【００４２】
　図２は図１のフックスイッチ回路部２００の詳細な回路図を示す図面である。
【００４３】
　図２を参照すると、前記フックスイッチ２００の状態は前記第２マイクロプロセッサー３４０に提供される。これに、前記第２マイクロプロセッサー３４０は、ユーザーが通話中であるか否かを判断し、外部から着信号が入力されたとき、前記判断結果に従う制御を行なう。
【００４４】
　図３は図１のキー入力部２１０の詳細な構成を示す図面である。
【００４５】
　図３を参照すると、前記キー接続回路２１０は、ユーザーが入力するボタンを感知して、この感知した結果をデータ信号に変換して、前記第２マイクロプロセッサー３４０に提供する。
【００４６】
　前記第２マイクロプロセッサー３４０は、前記提供されたデータ信号、前記ＩＰフォン回路部３０及び／又は、前記ＩＳＤＮフォン１０を介して入力される外部データをモニタリングして、該当モードにしたがって必要な作動を行う。
【００４７】
　図４Ａ及び図４Ｂは図１による音声信号連結部の回路図を示す図面である。
【００４８】
　図４Ａ及び図４Ｂに示すように、ＩＳＤＮモードで、ユーザーが通話をするためにハンドセットを持った場合、第２マイクロプロセッサー３４０は、前記ハンドセット回路１５０が前記送受話器２５０に連結されるように第１制御信号を前記音声信号連結部２４０に印加する。同様に、ユーザーが通話をするためにハンドセットを持った場合、前記送受話器２５０は、第１チャネルを通じて前記第２コデック３６０と連結される。
【００４９】
　また、ＩＳＤＮモードで、ユーザーが通話をするためにスピーカーボタンを選択した場合、前記第２マイクロプロセッサー３４０は、前記スピーカーフォン回路１５０が前記スピーカ／マイク２６０に連結されるように第２制御信号を前記音声信号連結部２４０に印加する。同様に、ＩＰモードでユーザーが通話をするためにスピーカーフォンを選択した場合、前記スピーカー／マイク２６０は、第１チャンネルを通じて前記第２コデック３６０と連結されている。
【００５０】
　即ち、前記第２マイクロプロセッサー３４０から出力される前記第１，２制御信号に従い、前記図４Ａ及び図４Ｂのスイッチ２１１，２２１は制御される。
【００５１】
　外部連結モードで、前記第２マイクロプロセッサー３４０は、前記ハンドセット／スピーカー回路部１５０が前記第２コデック３６０の第２チャンネルを通じて連結されるように前記音声信号連結部２４０に第２制御信号を印加する。
【００５２】
　前記第３制御信号によって前記図４Ａのスイッチ２１１がスイッチングされ、前記外部ＩＳＤＮフォンとの連結時にその外部ＩＳＤＮフォンから前記ＩＳＤＮフォン回路部１０を介して入力された音声信号が前記スイッチ２１１によりスイッチングされ、前記第２コデック３６０に入力されるし、前記第２コデック３６０は前記音声信号をＰＣＭデータに変換して前記ＤＳＰ３５０に提供する。
【００５３】
　図５は図４Ａの各スイッチの詳細な構成を示す図面である。
【００５４】
　図５を参照すると、ＩＳＤＮモードまたは、ＩＰモードでユーザーがハンドセットを持った場合、第１スイッチ２３１ａは第１制御信号にしたがって前記第２コデック３６０の第１チャンネルを通じて信号を送受信する送受話器２５０に連結されるようにスイッチングされる。外部連結モードで、第２スイッチ２３１ｂは、前記第２マイクロプロセッサー３４０からの第２制御信号にしたがって前記第２コデック３６０の第２チャンネルに連結されるようにスイッチングされる。前記第１スイッチ２３１ａはハンドセット回路１６０に自動に接続されている。
【００５５】
　次いで、本発明のデュアルＩＰフォンを用いた通話方法及び、それによるデュアルＩＰフォンの作動を説明する。
【００５６】
　本発明は前記デュアルＩＰフォンをＩＳＤＮモード、ＩＰモード、又は外部連結モードを作動させるために、メニューの選択やボタンの入力を用いる。例えば、前記ＩＳＤＮフォン回路部１０、又は前記ＩＰフォン回路部３０を介して発信するためには、前記キー入力部２１０に備えられたＩＳＤＮ／ＩＰ選択ボタン（図示せず）をトグルさせる。前記ＩＳＤＮ／ＩＰボタンの状態に関わらず受信電話は全て受け取れる。
【００５７】
　しかしながら、前記ＩＳＤＮフォン回路部１０及びＩＰフォン回路部３０を通じて同時に着信号が入力されると、ユーザーは前記ＬＣＤ表示部２３０を介して表示された前記号のうち何れか一つを選択して連結するか、共に拒絶することができる。
【００５８】
　即ち、外部から着信号が受信されると、その着信号は前記ＬＣＤ表示部２３０により表示されるので、ユーザーがこれを確認した後に連結するか或いは、拒絶するかを選択できる。
【００５９】
　また、外部連結モードで、前記ＩＰフォン３０を用いて通話を行なう途中に、前記ＩＳＮＤフォン１０を介して外部から連結要請の号が受信される場合、ユーザーは通話を続けながら、前記外部連結要請の号を受諾できる。
【００６０】
　発信の場合、本発明のＩＳＤＮフォン回路部１０、及びＩＰフォン回路部３０は、一般のＩＳＤＮフォン、及びＩＰフォンとそれぞれ同様に作動する。即ち、ハンドセットを持ち、ダイアルトーンが聞こえると相手の電話番号をダイアルするか、スピーカを作動させ、ダイアルトーンが聞こえると、相手の電話番号をダイアルする。但し、ＩＳＤＮ／ＩＰボタンを一回押すとＩＳＤＮフォン１０として作動し、再度ＩＳＤＮ／ＩＰボタンを押すとＩＰフォン３０として作動する。即ち、前記ＩＳＤＮ／ＩＰはトグルする。
【００６１】
　着信の場合、前記ＩＳＤＮフォン回路部１０の前記第１マイクロプロセッサー１３０と、前記ＩＰフォン回路部３０の前記第２マイクロプロセッサー３４０との着信号の認識により作動する。
【００６２】
　即ち、ＩＳＤＮを介して前記ＩＳＤＮフォン回路部１０に着信号が入力されると、前記ＨＤＬＣ１２０は該着信号を認識し、その認識結果を前記第１マイクロプロセッサー１３０に提供する。前記ＨＤＬＣ１２０は前記信号をフレーム単位で分割して伝送し、各フレームの始めと終わりを表示するフラッグと、送信側と受信側の識別番号を表示する住所符号、各種の制御情報を表示する制御符号、任意の長さのデータ情報部分、及びフレームエラー検査符号を含む。
【００６３】
　前記第２マイクロプロセッサー３４０がエラーを検出すると、該当フレームの再伝送を要求することで高い信頼度が確保される。
【００６４】
　前記第１マイクロプロセッサー１３０は、前記着信号を認識し、前記データ通信回路２１０を介して前記第２マイクロプロセッサー３４０に提供する。
【００６５】
　前記第２マイクロプロセッサー３４０は、前記提供されたデータ、及び前記ＩＰフォン３０の状態を通じて現在のデュアルＩＰフォンの状態を把握する。　
【００６６】
　前記第２マイクロプロセッサー３４０は、前記外部着信号が入力されたとき、前記デュアルＩＰフォンが使用中であれば、前記データ通信回路２１０を介して、使用中に発生するメッセージを前記第１マイクロプロセッサー１３０に送る。
【００６７】
　一方、　前記第２マイクロプロセッサー３４０は、前記着信号が入力されたとき、前記デュアルＩＰフォンが使用中でなければ、スピーカー２６０でリングが鳴るように制御する。前記リングを鳴らすために、前記第１マイクロプロセッサー１３０は、前記ＩＰフォン３０にある前記第２マイクロプロセッサー３４０に前記リングを鳴らすことを要請する。この要請に従い、前記第２マイクロプロセッサー３４０は、前記ＤＳＰ３５０に命令して、スピーカでリングを鳴らす。この際、ユーザーがハンドセットを持つか、スピーカーを作動させると、通話が行なわれる。
【００６８】
　一方、インターネット網を介して前記ＩＰフォン３０に着信号が入力されると、前記第２マイクロプロセッサー３４０は、その入力された着信号のデータパケットを分析して、着信号が入力されたことを認知し、その認識結果に従いスピーカー２６を通じてリングを鳴らす。
【００６９】
　これは従来の一般のＩＰフォンと同様の方法であり、但し、前記送受話器２５０や前記スピーカー／マイク２６０を前記ＩＳＤＮフォン回路部１０と前記ＩＰフォン回路部３０とが共用に使用するために、前記第２マイクロプロセッサー３４０が前記音声信号連結部２４０を制御して、前記送受話器２５０やスピーカー／マイク２６０への連結を設定する。
【００７０】
　図６は本発明によるデュアルＩＰフォンを用いて通話を行なう方法の一例を示す流れ図であって、特に、外部連結モード時の通話方法を示す流れ図である。
【００７１】
　まず、外部でＩＳＤＮを介して電話リング信号、つまり、着信号が入力され（Ｓ１０）、前記デュアルＩＰフォンが外部連結モードに設定される場合（Ｓ１１）、前記ＩＳＤＮフォン回路部１０と前記ＩＰフォン回路部３０は、前記第１マイクロプロセッサー１３０及び、　前記第２マイクロプロセッサー３４０の間に連結された前記データ通信回路部２２０を媒介に相互連結される（Ｓ１３）。したがって、外部でＩＳＤＮを媒介に本発明のＩＳＤＮフォン回路部１０に電話をかけ、そのＩＳＤＮフォン回路部１０と連結された前記ＩＰフォン３０を介してインターネットで電話することが可能である。
【００７２】
　即ち、本発明のデュアルＩＰフォンを媒介に既存のＩＳＤＮフォンと、既存のＩＰフォンとの間の通話が可能である。
【００７３】
　上記過程をより詳細に説明すると、前記外部連結モードで、外部ユーザーが自分のＩＳＤＮフォン１０を用いて本発明のデュアルＩＰフォンに電話をかけると、外部着信号がＩＳＤＮを介して前記ＩＳＤＮフォン回路部１０に入力され、前記ＨＤＬＣ３４０を介して前記第１マイクロプロセッサー１３０に提供される。前記第１マイクロプロセッサー１３０は、前記着信号が入力され、設定回数のリングが鳴ると、前記ＩＰフォン回路部３０の前記第２マイクロプロセッサー３４０に前記着信号が到着していることを知らせる。前記第２マイクロプロセッサー３４０は、前記音声信号連結部２４０のスイッチを制御して、前記ＩＳＤＮフォン回路部１０の前記ハンドセット／スピーカーフォン回路部１５０が前記第２コデック３６０の二番目のチャンネルに連結されるようにする。
【００７４】
　そして、　前記第２マイクロプロセッサー３４０は、前記ＤＳＰ３５０に命令して、ダイアルトーンを前記第２コデック３６０の二番目のチャンネルを通じて前記外部ユーザーのＩＳＤＮフォンに送り出し（Ｓ１４）、これに対応して、前記外部ユーザーのＩＳＤＮフォンからＤＴＭＦ（Ｄｕａｌ　Ｔｏｎｅ　Ｍｕｌｔｉｐｌｅ　Ｆｒｅｑｕｅｎｃｙ）信号を受信する。即ち、外部で前記ＩＳＤＮフォン回路部１０に電話をかけたユーザーは前記ダイアルトーンを聞き、必要な電話番号や、既設定された暗証番号をダイアリングする（Ｓ１５）。
【００７５】
　前記電話番号及び暗証番号はＤＴＭＦ信号として前記ＤＳＰ３５０によって前記第２マイクロプロセッサー３４が認識可能なデータフォーマットに変換され、前記第２マイクロプロセッサー３４０に提供される。前記第２マイクロプロセッサー３４０は、前記暗証番号に基づき、前記ユーザーが認証された加入者であるかを確認し（Ｓ１６）、認証された加入者である場合、前記電話番号に当たるＩＰアドレスを確認する（Ｓ１８）。
【００７６】
　前記第２マイクロプロセッサー３４０は、前記ＩＰアドレスを使用してインターネット網に外部発信号（外部発信コール）を伝送し、前記伝送された外部発信号に当たる相手がその発信された信号を受信して応答すると、双方のユーザー間の号（コール）が設定される（Ｓ１９）。
【００７７】
　そして、外部でＩＳＤＮフォン回路部１０に電話をかけたユーザーからの音声信号を該当ＩＰアドレスの標準データフォーマットに変換して伝送すると、外部のＩＳＤＮフォンユーザーとしての発信者と、外部のＩＰフォンユーザーとしての着信者との間に双方通話が行なわれる（Ｓ２０）。
【００７８】
　前記ＩＰフォン回路部１０の第２マイクロプロセッサー３４０は、前記インターネット網から終了パケットを受けると該当号（コール）を解除し、その終了を前記第１マイクロプロセッサー１３０に知らせて、ＩＳＤＮフォン回路部１０とＩＳＤＮとの間に形成された該当号も解除する（Ｓ２１）。
【００７９】
　前記通話の完了後、待機中の電話があるかどうかを判断し、ある場合はＩＰモードに変換して、待機中の通話を持続的に行なった後、全体の通話を終了する（Ｓ２２−Ｓ２６）。
【図面の簡単な説明】
【００８０】
【図１】本発明によるデュアルＩＰフォンのブロック構成図である。
【図２】図１のフックスイッチ回路部の詳細な回路図である。
【図３】図１のキー入力部の詳細な回路図である。
【図４Ａ】図１の音声信号連結部の詳細な回路図である。
【図４Ｂ】図１の音声信号連結部の詳細な回路図である。
【図５】図４Ａに示すスイッチの詳細面である。
【図６】本発明によるデュアルＩＰフォンを用いた通話方法を示す流れ図である。
【符号の説明】
【００８１】
　１０　ＩＳＤＮフォン回路部
　２０　連結部
　３０　ＩＰフォン回路部
　１００　コネクター
　３００　コネクター
　１１０　Ｓ−インターフェース回路
　１２０　ＨＤＬＣ
　１３０　マイクロプロセッサー
　３４０　マイクロプロセッサー
　１４０　コデック
　３６０　コデック
　１５０　ハンドセット／スピーカーフォン回路部
　２００　フックスイッチ回路部　
　２１０　キー入力部
　２２０　データ通信回路部
　２３０　ＬＣＤ表示回路部
　２４０　音声信号連結部
　２５０　送受話器
　２６０　スピーカー／マイク
　３１０　アップリンクＲＡＮ回路部
　３２０　ダウンリンクＲＡＮ回路部
　３３０　ＲＡＮ回路連結部
　３５０　ＤＳＰ
【図１】
2004064782.tif 000003
【図２】
2004064782.tif 000004
【図３】
2004064782.tif 000005
【図４Ａ】
2004064782.tif 000006
【図４Ｂ】
2004064782.tif 000007
【図５】
2004064782.tif 000008
【図６】
2004064782.tif 000009